(57)【要約】
【課題】収納性が良好な家庭用アイロン装置を提供する。
【解決手段】家庭用アイロン装置を、ヒータが内蔵されたアイロン本体１と、アイロン本体１が載置されたときにヒータに電源を供給する載置台兼用の給電台２と、給電台２に載置されたアイロン本体１の外周を覆う本体カバー３とから構成する。給電台２の底面に給電台２を水平状態で安定に支持するための第１の支持突起２ｇが形成すると共に、本体カバー３の垂直平面状に形成された一面に、給電台２を立てた状態で安定に支持するための第２の支持突起３ａを形成する。また、本体カバー３に形成された携帯用ハンドルの収納凹部３ｃを給電台２に載置されたアイロン本体１の一部に当接し、アイロン本体１の保持手段として利用する。
【選択図】図２
0003100748.tif 000002
【実用新案登録請求の範囲】
【請求項１】
ヒータが内蔵されたアイロン本体と、前記アイロン本体が載置されたときに前記ヒータに電源を供給する載置台兼用の給電台と、前記給電台に着脱可能に取り付けられ、前記給電台に載置された前記アイロン本体の外周を覆う本体カバーとを備えた家庭用アイロン装置において、前記給電台の底面に前記給電台を水平状態で安定に支持するための第１の支持突起を形成すると共に、前記本体カバーの側面に前記給電台を立てた状態で安定に支持するための第２の支持突起を設けたことを特徴とする家庭用アイロン装置。
【請求項２】
前記本体カバーの内面に、前記給電台に載置された前記アイロン本体の一部に当接し、前記給電台を立てた状態で前記アイロン本体を安定に保持するための保持手段を設けたことを特徴とする請求項１に記載の家庭用アイロン装置。
【請求項３】
前記保持手段として、前記本体カバーの上面に取り付けられる携帯用ハンドルの取付部を利用することを特徴とする請求項２に記載の家庭用アイロン装置。
【考案の詳細な説明】
【技術分野】
【０００１】
本考案は、家庭用アイロン装置に係り、特に、不使用時における収納性の改善手段に関する。
【背景技術】
【０００２】
従来より、図６及び図７に示すように、ヒータ（図示省略）が内蔵されたアイロン本体１０１と、アイロン本体１０１が載置されたときに前記ヒータに電源を供給する載置台兼用の給電台１０２と、給電台１０２に着脱可能に取り付けられ、給電台１０２に載置されたアイロン本体１０１の外周を覆う本体カバー１０３とを備えたコードレスアイロンと呼ばれる家庭用アイロン装置が知られている（特許文献１参照。）。
【０００３】
この家庭用アイロン装置には、図６に示すように、給電台１０２の底面に支持突起１０４が形成されており、使用時に給電台１０２を水平状態で安定に支持できるようになっている。
【特許文献１】特開２０００−８４３００
【考案の開示】
【考案が解決しようとする課題】
【０００４】
ところで、この種の家庭用アイロン装置は、不使用時には押入や家具の隙間などの収納スペースに収納しておき、必要に応じて室内に取り出されて使用されるものであるので、収納性が良好であること、即ち、収納スペースの状態に応じて適宜の姿勢で収納できることが求められる。
【０００５】
然るに、従来の家庭用アイロン装置は、給電台１０２の底面にしか支持突起１０４が形成されていないので、給電台１０２を水平状態にしたままでしか収納することができず、高さ方向に余裕はあるが収納面積に余裕がないスペースに収納することができないという不都合がある。
【０００６】
本考案は、かかる従来技術の不備を解決するためになされたものであって、その目的は、収納性が良好な家庭用アイロン装置を提供することにある。
【課題を解決するための手段】
【０００７】
本考案は、前記課題を解決するため、ヒータが内蔵されたアイロン本体と、前記アイロン本体が載置されたときに前記ヒータに電源を供給する載置台兼用の給電台と、前記給電台に着脱可能に取り付けられ、前記給電台に載置された前記アイロン本体の外周を覆う本体カバーとを備えた家庭用アイロン装置において、前記給電台の底面に前記給電台を水平状態で安定に支持するための第１の支持突起を形成すると共に、前記本体カバーの側面に前記給電台を立てた状態で安定に支持するための第２の支持突起を設けるという構成にした。
【０００８】
このように、給電台の底面と本体カバーの側面とに第１及び第２の支持突起を設けると、給電台を水平状態にして収納することもできるし、給電台を立てた状態で収納することもできるので、収納面積に余裕はあるが高さ方向に余裕がないスペースにも、高さ方向に余裕はあるが収納面積に余裕がないスペースにも収納することができ、家庭用アイロン装置の収納性を改善することができる。
【０００９】
また、本考案は、前記構成の家庭用アイロン装置において、前記本体カバーの内面に、前記給電台に載置された前記アイロン本体の一部に当接し、前記給電台を立てた状態で前記アイロン本体を安定に保持するための保持手段を設けるという構成にした。
【００１０】
このように、本体カバーの内面にアイロン本体の保持手段を設けると、給電台を立てたときのアイロン本体の動揺を防止することができるので、給電台を立てた状態での家庭用アイロン装置の収納が可能になり、家庭用アイロン装置の収納性を良好なものにすることができる。
【００１１】
また、本考案は、前記構成の家庭用アイロン装置において、前記保持手段として、前記本体カバーの上面に取り付けられる携帯用ハンドルの取付部を利用するという構成にした。
【００１２】
このように、アイロン本体の保持手段として本体カバーの上面に取り付けられる携帯用ハンドルの取付部を利用すると、アイロン本体の保持手段を本体カバーに別途設ける必要がないので、本体カバーひいては家庭用アイロン装置を安価に実施することができる。
【考案の効果】
【００１３】
本考案の家庭用アイロン装置は、給電台の底面と本体カバーの側面とに第１及び第２の支持突起を設けたので、給電台を水平状態にして収納することもできるし、給電台を立てた状態で収納することもできる。よって、収納面積に余裕はあるが高さ方向に余裕がないスペースにも、高さ方向に余裕はあるが収納面積に余裕がないスペースにも収納することができ、家庭用アイロン装置の収納性を改善することができる。
【考案を実施するための最良の形態】
【００１４】
以下、本考案に係る家庭用アイロン装置の実施形態を図１乃至図５に基づいて説明する。図１は実施形態例に係る家庭用アイロン装置の水平状態の透視図、図２は実施形態例に係る家庭用アイロン装置の垂直状態の透視図、図３は実施形態例に係る家庭用アイロン装置の平面図、図４は図１のＡ方向から見た側面図、図５は図１のＢ方向から見た透視図である。
【００１５】
図１及び図２に示すように、本例の家庭用アイロン装置は、主として、図示しないヒータが内蔵されたアイロン本体１と、アイロン本体１が載置されたときに前記ヒータに電源を供給する載置台兼用の給電台２と、給電台２に着脱可能に取り付けられ、給電台２に載置されたアイロン本体１の外周を覆う本体カバー３とから構成されている。
【００１６】
アイロン本体１は、ヒータによって加熱される底板１ａと、ユーザが把持するハンドル部１ｂと、給電台２上に載置したときに給電台２より給電を受けるためのコネクタ部１ｃとを有しており、アイロン本体１に電源コードを接続することなく、アイロンがけを行うことができるようになっている。なお、コネクタ部１ｃとしては、ピン挿入式又はピン接触式のコネクタを用いることもできるし、電磁結合し記のコネクタを用いることもできる。また、アイロン本体１のその他の構成に関しては何ら制限があるものではなく、必要に応じて、例えば底板１ａの下面より蒸気を噴出するための水タンクや、衣服の素材に応じて底板１ａの温度調節を行うための温度調節器などを付設することもできる。
【００１７】
給電台２は、底板２ａと、底板２ａ上に設けられたアイロン本体１の載置部２ｂと、載置部２ｂの側面に設けられた本体カバー３のスナップ結合部２ｃと、アイロン本体１のコネクタ部１ｃと互いに接続されるコネクタ部２ｄと、一端にプラグ２ｅが取り付けられた電源コード２ｆ（図５参照）とを有しており、底面には、当該給電台２を水平状態で安定に支持するための第１の支持突起２ｇが形成されている。なお、コネクタ部２ｄとしては、アイロン本体１に備えられたコネクタ部１ｃに対応する適宜に形式のものが備えられる。また、給電台２の内部には、電源コード２ｃを巻き取るための図示しないリールが内蔵されており、不使用時には図１、図２及び図５に示すように、プラグ２ｅだけを外部に臨ませた状態で電源コード２ｆを載置部２ｂ内に収納できるようになっている。
【００１８】
本体カバー３は、給電台２に載置されたアイロン本体１の外周を覆うに足る大きさ及び形状の容器状に形成されており、その平面形状は給電台２の平面形状とほぼ等しい形状に形成されている。本体カバー３の一面は垂直平面状に形成されており、この垂直平面状に形成された一面には、図４に示すように、給電台２を立てた状態で安定に支持するための第２の支持突起３ａが形成されている。また、当該本体カバー３の下部には、給電台２の載置部２ｂに設けられたスナップ結合部２ｃと互いにスナップ結合されるスナップ結合部３ｂが形成されている。さらに、当該本体カバー３の上部には、携帯用ハンドルの収納凹部３ｃが形成されており、当該収納凹部３ｃ内には携帯用ハンドル３ｄが適宜取り出し可能に収納されている。携帯用ハンドルの収納凹部３ｃは、図１及び図２に示すように、給電台２に本体カバー３を装着したとき、給電台２に載置されたアイロン本体１の一部に当接し、アイロン本体１の保持手段として機能する。
【００１９】
本例の家庭用アイロン装置は、給電台２内に電源コード２ｆを引き込み、給電台２上にアイロン本体１を載置し、かつアイロン本体１の外周に本体カバー３を被せ、給電台２に形成されたスナップ結合部２ｃと本体カバー３に形成されたスナップ結合部３ｂとを互いにスナップ結合することにより、収納可能状態になる。
【００２０】
そして、本例の家庭用アイロン装置は、給電台２の底面と本体カバー３の側面とに第１及び第２の支持突起２ｇ，３ａを設けたので、給電台２を水平状態にして収納スペースに収納することもできるし、給電台２を立てた状態で収納スペースに収納することもできる。よって、収納面積に余裕はあるが高さ方向に余裕がないスペースにも、高さ方向に余裕はあるが収納面積に余裕がないスペースにも収納することができ、家庭用アイロン装置の収納性を改善することができる。
【００２１】
また、本例の家庭用アイロン装置は、本体カバー３に形成された携帯用ハンドルの収納凹部３ｃを給電台２に載置されたアイロン本体１の一部に当接するようにしたので、給電台２を立てたときのアイロン本体１の動揺を防止することができ、給電台２を立てた状態での家庭用アイロン装置の収納が可能になって、家庭用アイロン装置の収納性を良好なものにすることができる。
【００２２】
さらに、本例の家庭用アイロン装置は、本体カバー３に形成された携帯用ハンドルの収納凹部３ｃを給電台２に載置されたアイロン本体１の保持手段として利用したので、アイロン本体１の保持手段を本体カバー３に別途設ける必要がなく、本体カバー３ひいては家庭用アイロン装置を安価に実施することができる。
【００２３】
なお、前記実施形態例においては、本体カバー３に形成された携帯用ハンドルの収納凹部３ｃを給電台２に載置されたアイロン本体１の保持手段として利用したが、本考案の要旨はこれに限定されるものではなく、本体カバー３に携帯用ハンドルの収納凹部３ｃとは別個のアイロン本体１の保持手段を設けることもできる。
【００２４】
また、前記実施形態例においては、本体カバー３の一面にのみ第２の支持突起３ａを形成したが、本考案の要旨はこれに限定されるものではなく、本体カバー３の異なる複数の面に第２の支持突起３ａを形成することもできる。このようにすると、家庭用アイロン装置の収納時の姿勢をより多様化することができ、家庭用アイロン装置の収納性をより高めることができる。
【図面の簡単な説明】
【００２５】
【図１】実施形態例に係る家庭用アイロン装置の水平状態の透視図である。
【図２】実施形態例に係る家庭用アイロン装置の垂直状態の透視図である。
【図３】実施形態例に係る家庭用アイロン装置の平面図である。
【図４】図１のＡ方向から見た側面図である。
【図５】図１のＢ方向から見た透視図である。
【図６】従来例に係る家庭用アイロン装置の本体カバーを除去した状態の側面図である。
【図７】従来例に係る家庭用アイロン装置の本体カバーを取り付けた状態の斜視図である。
【符号の説明】
【００２６】
１    アイロン本体
１ａ    底板
１ｂ    ハンドル部
１ｃ    コネクタ部
２    給電台
２ａ    底板
２ｂ    載置部
２ｃ    スナップ結合部
２ｄ    コネクタ部
２ｅ    プラグ
２ｆ    電源コード
２ｇ    第１の支持突起
３    本体カバー
３ａ    第２の支持突起
３ｂ    スナップ結合部
３ｃ    携帯用ハンドルの収納凹部
３ｄ    携帯用ハンドル
【図１】
0003100748.tif 000003
【図２】
0003100748.tif 000004
【図３】
0003100748.tif 000005
【図４】
0003100748.tif 000006
【図５】
0003100748.tif 000007
【図６】
0003100748.tif 000008
【図７】
0003100748.tif 000009